(57)【要約】【課題】より精確に計測できて、空気袋の寸法に従って、血圧計の空気放出弁の適切な空気流量をそれぞれに調節することなく、血圧計は標準サイズの空気袋と腕サイズの太い空気袋にも適用できること。【解決手段】血圧計のケース体内部に接続管を設け、この接続管に空気袋の空気を素早く放出する電磁弁と空気放出弁を設け、接続管は人間の腕に巻く空気袋と接続し、空気袋にエア・プラグを設け、このエア・プラグは多孔通気性部材より造られる。この構造により、本考案は腕の太い利用者の血圧を測るとき、空気放出弁より低い空気流量による圧力放出ができるほか、空気袋のエア・プラグに設ける微細で、かつ、均一の通気孔により、放出空気の流量を大量で、安定に放出できる。【選択図】図４Ａ
0003121082.tif 000002
【実用新案登録請求の範囲】
【請求項１】
血圧計に導通する接続管を設け、
接続管に加圧装置と空気放出弁をそれぞれに設け、
空気放出弁の空気放出口の空気放出流量は標準サイズの空気袋に従って設定し、
接続経路の他端に腕又は手首に取り巻く大きいサイズ空気袋に接続し、
大型空気袋に多孔通気性部材製のエア・プラグを設け、
加圧装置により加圧した空気を接続管に圧送し、大型空気袋があらかじめに設定された最大圧力値に到達した後に、空気放出弁の空気放出口および大型空気袋に設けたエア・プラグの微細で、かつ、均一の通気孔により、空気袋の空気を微細で、かつ、安定に通気孔を通過し外部へ放出するように構成したことを特徴とする、
血圧計空気袋の圧力放出安定装置。
【請求項２】
前記エア・プラグはファインセラミックス製であることを特徴とする、請求項１記載の血圧計空気袋の圧力放出安定装置。
【請求項３】
前記加圧装置はポンプであることを特徴とする、請求項１記載の血圧計空気袋の圧力放出安定装置。
【請求項４】
前記加圧装置は手動加圧ボールであることを特徴とする、請求項１記載の血圧計空気袋の圧力放出安定装置。
【請求項５】
大型空気袋のサイズは１３〜１７インチであることを特徴とする、請求項１記載の血圧計空気袋の圧力放出安定装置。
【考案の詳細な説明】
【技術分野】
【０００１】
本考案は一種の血圧計と合わせて使用する大型空気袋の圧力放出安定装置に関し、特に一種の多孔通気性部材のエア・プラグを人間の腕に取り巻く空気袋に設けることにより、製造者は同じサイズの空気放出弁による血圧計の空気放出を制御し、大型空気袋のエア・プラグに設ける微細で、かつ、均一に設ける通気孔により、大きいサイズの空気袋の空気流量を増やせて、エア・プラグと血圧計の空気放出弁により、空気を安定に放出できる血圧計空気袋の圧力放出安定装置に関する。
【背景技術】
【０００２】
先行技術の血圧計は、図１Ａに示すとおり、その血圧計に接続管１００を設け、接続管１００の一端に加圧ポンプ１１０に接続され、他端は腕又は手首に取り巻く空気袋２００と接続する。さらに、空気袋２００は利用者の腕サイズに合わせて、標準サイズと大きいサイズがある。そのうち、標準サイズ(腕サイズ９〜１３インチ)は東洋人の体型または一般欧米人の腕向けであり、大きいサイズ(腕サイズ１３〜１７インチ)は、体型がやや太い利用者の腕に適する。
【考案の開示】
【考案が解決しようとする課題】
【０００３】
図１Ａ、１Ｂに示すとおり、その接続管１００はパルスセンサー１２０、電磁弁１３０および空気放出弁１３１に接続する。そのうち、パルスセンサー１２０は電気回路板１４０に設け、測定時点における血圧の脈動を検知し、高/低血圧値を測る。電気回路板１４０は電気回路により、液晶表示パネル１５０と接続する。電磁弁１３０は空気袋２００の空気を素早く放出でき、空気放出弁１３１は血圧を測るとき、低い空気流量により、空気袋の空気を放出する。
しかし、パルスセンサー１２０による高/低血圧値の計測は、空気袋２００をあらかじめ設定された最大圧力値に加圧した上、一定の時間に低い空気流量により、空気袋２００の空気を放出する。よって、空気袋２００のサイズと空気放出弁１３１より放出する空気流量、並びに放出安定性は計測の精度に影響するため、空気放出弁１３１の空気放出口のサイズは空気袋２００のサイズによって異なる。一例として、大きいサイズの空気袋の容積が大きいため、測定するときの空気放出期間も長い。従って、空気放出口１３２を大きく調節し、空気の流速を大きくする必要がある。このため、血圧計の空気放出口１３２の大きさは接続する空気袋２００のサイズに合わせて調節しなければならない。
しかし、血圧計は統一規格を工場より出荷しており、かつ、標準サイズの空気袋を調節の目安としている。よって、血圧計に大きいサイズの空気袋２００を接続すると、測定値の正確性が劣る。
【０００４】
本考案は前記した先行技術の血圧計における空気放出弁の空気放出口は、空気袋のサイズに合わせて調節して空気流量を制御する問題点に対する改善策の研究に着手し、研究・分析を繰り返した結果、本考案の血圧計空気袋の圧力放出安定装置を考案した。
【０００５】
本考案の目的は、エア・プラグにファイン・セラミックス部材を使用する一種の血圧計空気袋の圧力放出安定装置を提供するにある。
【課題を解決するための手段】
【０００６】
本考案の一つの目的は、ケース体を設け、ケース体に接続管を設け、接続管の一端に加圧装置を設けて、他端に人間の腕または手首に取り巻く空気袋に接続する。空気袋は標準サイズであり、太い腕サイズ利用者用の大きいサイズ空気袋に適する。空気袋はさらに、エア・プラグを設け、このエア・プラグは多孔通気性部材より造られる。接続管は空気放出弁に接続し、空気放出弁に空気放出口を設ける。空気放出口の開度は標準サイズの空気袋に適した空気放出流量に合わせて調節し、設定する。
この構造により、本考案は大きい腕サイズ用の大きいサイズ空気袋に使用するとき、加圧装置の空気は接続管により、空気袋をあらかじめに設定された圧力に加圧して置き、血圧を測るとき、空気放出弁に設ける空気放出口より空気を放出できることのほかに、大きいサイズの空気袋のエア・プラグに設ける微細で、かつ、均一に分布した通気孔により、外部に放出する空気流量を増やす。
【０００７】
すなわち、本願の第１考案は、血圧計に導通する接続管を設け、接続管に加圧装置と空気放出弁をそれぞれに設け、空気放出弁の空気放出口の空気放出流量は標準サイズの空気袋に従って設定し、接続経路の他端に腕又は手首に取り巻く大きいサイズ空気袋に接続し、大型空気袋に多孔通気性部材製のエア・プラグを設け、加圧装置により加圧した空気を接続管に圧送し、大型空気袋があらかじめに設定された最大圧力値に到達した後に、空気放出弁の空気放出口および大型空気袋に設けたエア・プラグの微細で、かつ、均一の通気孔により、空気袋の空気を微細で、かつ、安定に通気孔を通過し外部へ放出するように構成したことを特徴とする、血圧計空気袋の圧力放出安定装置を提供する。
本願の第２考案は、前記エア・プラグはファインセラミックス製であることを特徴とする、前記第１考案の血圧計空気袋の圧力放出安定装置を提供する。
本願の第３考案は、前記加圧装置はポンプであることを特徴とする、前記第１考案の血圧計空気袋の圧力放出安定装置を提供する。
本願の第４考案は、前記加圧装置は手動加圧ボールであることを特徴とする、前記第１考案の血圧計空気袋の圧力放出安定装置を提供する。
本願の第５考案は、大型空気袋のサイズは１３〜１７インチであることを特徴とする、前記第１考案の血圧計空気袋の圧力放出安定装置を提供する。
【考案の効果】
【０００８】
このため、空気放出量が安定によりパルスセンサーから血圧のパルス信号をより精確に検出できる。本考案は血圧計の空気放出弁の空気放出口の開度を個々に調節する必要がなくなり、標準サイズと大きいサイズの空気袋の両方に適用できて、手動による空気放出口調節の時間とコストを軽減することができる。
【考案を実施するための最良の形態】
【０００９】
以降に図面を参照しながら、本考案の実施の形態について説明する。
【００１０】
図２Ａ，２Ｂ，４Ａ，４Ｂに示すものは、本考案に係る血圧計空気袋の圧力放出安定装置である。
血圧計ケース体９０を設ける。ケース体９０は電気回路板８０を内蔵し、電気回路板８０上に液晶表示パネル７０をケース体９０表面に設けて、計測した高/低血圧値を表示する。
【００１１】
ケース体９０に多空気経路の接続管６０を設け、この接続管６０にコネクタ６１を設ける。コネクタ６１はパイプ６２により、空気袋２０に接続する。
本実施例においては、大きいサイズの空気袋 (腕サイズ１３〜１７インチ)を用いる。
【００１２】
空気袋２０に腕帯２１を設け、被測定者の腕を取り巻き、腕帯２１に空気注入袋２２を設ける。この空気注入袋２２の一端に開口部２３を設け、この開口部２３に多孔通気性部材のエア・プラグ２４(図２Ａ、２Ｂに示す)を設ける。
本実施例において、ファインセラミックスを用いる。ただし、この種の技術を熟知するものは、発泡材、ナノテククまたはその他類似する材料に取り代ることができる。
【００１３】
接続管６０はさらにパルスセンサー５０、加圧装置４０に接続する。そのうち、パルスセンサー５０は電気回路板８０に取り付けて、測定時点における血圧脈動または高/低血圧値を検出する。
【００１４】
本実施例において、加圧装置４０はポンプを用いる。ただし、この種の技術を熟知するものは、手動式加圧ボールによって、取り代ることができる。
【００１５】
なお、接続管６０は電磁弁３０および空気放出弁３１に接続し、空気放出弁３１の空気放出口３２(図４Ｂに示す)は、標準サイズの空気袋に必要な空気流量に基づいて、開度の大きさを設定する。
【００１６】
加圧するとき、図２、３、４に示すとおり、加圧装置４０により、空気を加圧してパイプ６２に送り込む。空気はパイプ６２により、腕又は手首に取り巻く大型空気袋２０に伝送する。
【００１７】
空気圧力があらかじめ設定された最大圧力値になったとき、加圧を中止する。
血圧を測るとき、大型空気袋２０の空気は標準サイズの空気袋２０に設定された空気放出流量は、血圧計空気放出弁３１の空気放出口３２、および大型空気袋２０のエア・プラグ２４に設けた微細で、かつ、均一の通気孔により、外部へ安定に放出する。
このため、大型空気袋２０は標準サイズの空気袋と同じ時間に、あらかじめ設定された空気最小値に減圧させる。
【００１８】
パルスセンサー５０は気体流量が微細で、かつ、安定のため、血圧のパルス信号をより精確に検出できる。
さらに、エア・プラグ２４が劣化し、流速の不安定による測定誤差を発生しない。
【００１９】
また、パルスセンサー５０は空気をゆるやかに放出する過程で、高/低血圧のパルスを検出して、測定した高/低血圧パルスデータは電気回路板８０に伝送し、処理した結果を液晶表示パネル７０に表示させる。
さらに、本考案は標準サイズの空気袋に接続することにより、本考案と組み合わせる血圧計を標準サイズの空気袋に使用できるほかに、大きいサイズの空気袋にも適用できるため、手動調節の手間を軽減できる。
【００２０】
前述のとおり、本考案の大型空気袋装置の構造が単純、確実であり、製品コストを軽減し、効果を向上できる。
【図面の簡単な説明】
【００２１】
【図１Ａ】先行装置の概略図である。
【図１Ｂ】先行装置の空気放出弁の拡大概略図である。
【図２Ａ】本考案空気袋の構造概略図である。
【図２Ｂ】本考案空気袋のエア・プラグの取り付け場所の拡大概略図である。
【図３】本考案空気袋の実施態様概略図である。
【図４Ａ】本考案実施の態様概略図である。
【図４Ｂ】本考案実施ときの空気放出弁の拡大概略図である。
【符号の説明】
【００２２】
２０          空気袋
２１          腕帯
２２          空気注入袋
２３          開口部
２４          エア・プラグ
３０          電磁弁
３１          空気放出弁
３２          空気放出口
４０          加圧装置
５０          パルスセンサー
６０          接続管
６１          コネクタ
６２          パイプ
７０          液晶表示パネル
８０          電気回路板
９０          ケース体
【図１Ａ】
0003121082.tif 000003
【図１Ｂ】
0003121082.tif 000004
【図２Ａ】
0003121082.tif 000005
【図２Ｂ】
0003121082.tif 000006
【図３】
0003121082.tif 000007
【図４Ａ】
0003121082.tif 000008
【図４Ｂ】
0003121082.tif 000009